(57)【要約】【課題】足裏に対する刺激を適度なものとすべく、一方の面には刺激の強い点状突起１０を形成すると共に、他方の面には刺激の弱い平面状突起２０を形成して、両側の面での装用（リバーシブル）が可能なインソール１００を提供する。【解決手段】合成樹脂にて形成され、靴の内部に投入して用いるインソール１００であって、一方の面には刺激の強い点状突起１０を複数箇所に形成し、他方の面には刺激の弱い平面状突起２０を複数箇所に形成し、一方の面から他方の面へと貫通する通気孔３０を複数箇所に穿設して、両方の面での装用を可能とした。【選択図】図１
0003110164.tif 000002
【実用新案登録請求の範囲】
【請求項１】
合成樹脂にて形成され、靴の内底上に投入して用いるインソールであって、
一方の面には複数の点状突起を形成し、
他方の面には複数の平面状突起を形成し、
一方の面から他方の面へと貫通する通気孔を複数箇所に穿設して、
両方の面での装用を可能としたことを特徴とするインソール。
【請求項２】
請求項１に記載したインソールにおいて、
一方の面の形成した複数の点状突起は、略同一の高さに形成したことを特徴とするインソール。
【請求項３】
請求項１又は請求項２に記載したインソールにおいて、
当該インソールを形成する合成樹脂中には、遠赤外線を照射するセラミックスを混入してなることを特徴とするインソール。
【請求項４】
請求項１乃至請求項３に記載したインソールにおいて、
当該インソールを形成する合成樹脂中には、竹炭を混入してなることを特徴とするインソール。
【考案の詳細な説明】
【技術分野】
【０００１】
本考案は、靴に装着して使用するインソール（中敷）に関し、特に、突起を備えたことにより装着者の足裏部に対する指圧効果が得られるインソールに関するものである。
【背景技術】
【０００２】
人体の足裏には多くの「反射区」が存在している（図４参照）。まず反射というのは、例えば、人が転倒しそうになった際、無意識のうちに手や足を出して転倒に備えるように、或る刺激に対して無意識的に身体の或る部分が反応する作用である。このような反応を身体の各器官（内臓等）に起こさせる場所のことを一般に反射区と称する。この反射区を刺激することにより、血液やリンパの流れを改善し、体内のエネルギーの循環を促進して、溜まった老廃物を速やかに体外に排出する事となり、弱った身体の機能を正常な状態に戻すことができるということは、古来より経験的に知られている。この反射区は全身に存在するものであるが、特に足には64ヶ所の反射区が存在し、その中でも足裏には多くの反射区が集中している。
【０００３】
この足裏の反射区を効率的に刺激することにより健康増進を図る履物として、所謂「健康サンダル」が従来より提案されている。しかし乍ら、この健康サンダルは、一般的には室内履きとしてのみ使用されることからも判るように、見栄えの問題もあるため、外出時や公式の場では使用できない事情がある。ところが、外出や公式の場に出る機会が多い人こそ、終日を通して靴を履き続ける場合が多い。長時間にわたり靴を履き続けることによって足が圧迫されることとなり、足の疲労やむくみの原因ともなっている。
【０００４】
上記問題の解決を図るものとして、特許文献１に記載の技術が開示されている。この特許文献１に記載の技術というのは、靴の内側に装着されるインソールにおける装着者の足裏に密着する面に指圧突起を形成して、当該指圧突起によって装着者の足裏への刺激を可能とするものである。上記文献記載の技術によれば、指圧突起が形成されたインソールを靴に装着することにより、外出用の靴を履いているときであっても健康サンダルの如き反射区に対する指圧効果が期待でき、尚かつ、外出時や公式の場においても装用できるという点で、非常に優れた技術であるとも考えられる。
【０００５】
しかし乍ら上記文献に記載の技術では、当該インソールを装着した靴を長時間にわたり履き続けることにより足裏に対し過度の刺激が加わることとなる。そのため、当該インソールを連続装用することによって、装着者の足裏に痛みが生じることとなるという問題がある。
【０００６】
仮に外出先において上記理由により装着者が痛みを感じた場合には、当該インソールを靴から取り除くこととなるが、取り出したインソールは必然的に装着者自身の足裏と略同一の大きさであるから、非常に嵩張ることとなる。これを何処かに収納する場合には、比較的大きな収容能力を有する上着の内ポケットか、或いは、鞄の中に収納せざるを得ない。しかし乍ら、つい先程まで靴の中において足裏で踏みつけていたインソールを、忽ち上着の内ポケットや鞄の中に入れることには、些かの抵抗感を禁じ得ない。
【０００７】
そこで本考案は、上記諸問題を解決するためには、インソールの一方の面に形成された突起に由来する刺激により装着者をして多少の痛みを感じた場合には、直ちに、当該インソールを裏返す共に左右で入れ替えて、前記装着者に対する刺激を弱いものとすればよいことに気付き案出されたものであり、その解決しようとする課題は以下の通りである。
【特許文献１】特表２００１−５２０５６１号公報
【考案の開示】
【考案が解決しようとする課題】
【０００８】
即ち本考案は、足裏に対する刺激を適度なものとすべく、一方の面には刺激の強い点状突起を形成すると共に、他方の面には刺激の弱い平面状突起を形成して、両側の面での装用（リバーシブル）が可能なインソールを提供することにある。
【課題を解決するための手段】
【０００９】
上記課題を解決するために本考案が採った手段は以下の通りである。
【００１０】
まず請求項１に係る考案は、合成樹脂にて形成され、靴の内底上に投入して用いるインソール１００であって、一方の面には複数の点状突起１０を形成し、他方の面には複数の平面状突起２０を形成し、一方の面から他方の面へと貫通する通気孔３０を複数箇所に穿設して、両方の面での装用を可能としたことを特徴とするものである。
【００１１】
次に請求項２に係る考案は、請求項１に記載したインソール１００において、一方の面の形成した複数の点状突起１０は、略同一の高さに形成したことを特徴とするものである。
【００１２】
また請求項３に係る考案は、請求項１又は請求項２に記載したインソール１００において、当該インソール１００を形成する合成樹脂中には、遠赤外線を照射するセラミックスを混入してなることを特徴とするものである。
【００１３】
そして請求項４に係る考案は、請求項１乃至請求項３に記載したインソール１００において、当該インソール１００を形成する合成樹脂中には、竹炭を混入してなることを特徴とするものである。
【考案の効果】
【００１４】
上記手段を採ったことによって奏する作用効果は以下の通りである。
【００１５】
即ち本考案によれば、一方の面（表面）と他方の面（裏面）との両面での装用（リバーシブル）が可能となるため、一方の面に形成された点状突起１０により装着者の足裏に過度の刺激を受けた場合であっても、当該インソール１００を裏返すと共に左右で入れ替えることにより、他方の面に形成された平面状突起２０を装着者の足裏に当接させて、該足裏に加わる刺激を弱めることが可能となる。従って、当該インソール１００を靴内から取り除くことなく継続的に使用できるという効果を奏する。
【００１６】
また、一方の面に形成された複数の点状突起１０をそれぞれ略同一の高さに形成した場合には、当該インソール１００が装着される靴の内底に沿って均一に密着させることができるため、より一層確実なリバーシブルが可能となるという効果を奏する。
【００１７】
さらに、当該インソール１００を構成する合成樹脂中にセラミックスを混入した場合には、当該セラミックスから遠赤外線が放射され、該赤外線に由来する「脱臭効果」、「適湿効果」、「保温効果」を奏することとなる。
【００１８】
そして、当該インソール１００を構成する合成樹脂中に竹炭を混入した場合には、当該竹炭に由来する「脱臭効果」、「適湿効果」、「保温効果」、「マイナスイオン効果」を奏することとなる。
【考案を実施するための最良の形態】
【００１９】
［実施例１］
以下、本考案に係るインソール１００を、実施例を用いて説明する。
【００２０】
まず本実施例に係るインソール１００は、靴の内底に投入されて用いられるものであり、図１に示すように、点状突起１０、平面状突起２０、貫通孔及び切断線４０等を有するものである。以下、各構成要素毎に説明する。
【００２１】
まず点状突起１０は、当該インソール１００における一方の面の複数箇所に形成されるものであって、装着者の足裏に対して強い刺激を与えるものである。この点状突起１０は、図４に示す足裏の反射区の位置に合わせて配置することにより、効果的な指圧効果が得られることとなる。また当該点状突起１０の高さは、図３に示すように、それぞれ略同一の高さにて形成することにより、当該インソール１００が装着される靴の内底に沿って均一に密着させることが可能となるので好適である。
【００２２】
次に平面状突起２０は、当該インソール１００における他方の面の複数箇所に形成されるものであって、装着者の足裏に対して弱い刺激を与えるものである。この平面状突起２０の高さは、それぞれ略同一の高さにて形成することにより、当該インソール１００が装着される靴の内底に沿って均一に密着させることが可能となるのは上記点状突起１０と同様である。
【００２３】
また通気孔３０は、当該インソール１００における一方の面から他方の面へと複数箇所にわたり穿設したものであって、足裏に生じた汗の乾燥を促すことによってムレを防止し、靴内部の適湿化を図るものである。この通気孔３０は、足裏の汗腺の位置に合わせて配置することにより、足裏のムレを効果的に防止できることとなる。また当該通気孔３０の大きさは、該通気孔３０内に装着者の足裏の皮膚がにくい込まない程度の大きさが好適であり、本実施例では、直径約３ｍｍ〜１０ｍｍ程度の円形又は半円形に形成している。
【００２４】
さらに切断線４０は、当該インソール１００の爪先部に溝状に形成されたものであり、当該インソール１００を、該インソール１００が投入される靴の内底の面積に応じて切断する必要が生じた際に、容易な切断を可能とするものである。即ち、投入される靴のサイズに応じて当該切断線４０に沿ってハサミ等により剪断するだけで、所望の大きさに形成することができるのである。勿論、本考案は上記構成に特段限定されるものではなく、切断線４０としての溝を踵部に形成したり、或いは、当該インソール１００の全周にわたって形成してもよい。
【００２５】
本考案に係るインソール１００は合成樹脂にて構成するものである。この合成樹脂の種類に関しては特に限定されるものではないが、上記突起が装着者の体重によっても圧壊することがない程の硬度を有し、尚かつ、歩行時には靴底に沿って曲がる程度の柔軟性を有する必要がある。従って本考案に係るインソール１００は、本実施例の如くポリエチレンにて形成することが好適と考えられる。
【００２６】
上記合成樹脂中には、セラミックスを混入することにより、当該セラミックスから遠赤外線が放射され、該赤外線に由来する「保温効果」が生じることとなる。即ち、当該セラミックスから放射される遠赤外線が装着者の体内の水分子に振動エネルギーを与えて運動を活発化させ、水分子どうしを衝突させることによって自己発熱を起こさせるのである。人間の平均体温は３６．５℃であり、この温度を波長に換算すると約１０μｍとなる。この１０μｍの遠赤外線を身体に与えると共振現象により身体を構成する分子の運動が活発化し、それに伴って細胞の活動も活発化して、血行や新陳代謝も活発になるので、身体が暖かく感じることとなるのである。
【００２７】
また、人は、全体重の６０％は水分で占められており、身体の脂肪や重金属は水分子と水分子の間に挟まれている。水分子と水分子とがしっかり結合している状態では脂肪や重金属は動けないが、遠赤外線によって水分子が動き出すと分子の結合はゆるやかになるため、水分子の間には挟まれていた有害物や脂肪は開放されて体外に排出され易くなる。即ち、本考案に係るインソール１００は、当該インソール１００を構成する合成樹脂中にセラミックスを混入することにより、点状突起１０による反射区に対する刺激との相乗効果により、優れた健康増進効果が得られるのである。
【００２８】
さらに、セラミックスから放射される遠赤外線によって水分子の運動が活発化することにより、足裏における雑菌の繁殖が抑えられるため靴内の臭いの醸成が抑えられ、「防臭効果」が生じることとなる。
【００２９】
本考案においてセラミックスは、赤外線を照射するものであれば特に限定されるものではないが、本実施例の如く、粉末状の酸化ジルコニア（ZrO2）、酸化アルミニウム（AL2O3）、酸化珪素（SiO2）、酸化チタン（TiO2）又は酸化鉄（Fe2O3）等々を適宜配合して、上記合成樹脂中混入して使用することが好適と考えられる。
【００３０】
一方、上記合成樹脂中には、竹炭を混入することも考えられる。竹炭の表面は多孔質であるため、インソール１００を構成する合成樹脂中に混入させることにより、当該インソール１００表面の竹炭が靴内の臭気を吸着可能となり、「脱臭効果」が期待できることとなる。また、当該竹炭が湿気を吸収可能であるため、「適湿効果」が期待できることとなる。さらに、当該竹炭からは遠赤外線が照射されるため、「保温効果」が期待できることとなる。そして、当該竹炭からはマイナスイオンが発生するため、「リラックス効果」が期待できることとなる。本実施例では粉末状の竹炭を上記合成樹脂中混入して使用するものとしている。
【図面の簡単な説明】
【００３１】
【図１】実施例１に係るインソール１００の、一方の面を示す図である。
【図２】図１に示すインソール１００の、他方の面を示す図である。
【図３】図１に示すインソール１００の、A-A線断面図である。
【図４】人体の足裏における反射区の位置を示す図である。
【符号の説明】
【００３２】
１０    点状突起
２０    平面状突起
３０    通気孔
４０    切断線
１００    インソール
【図３】
0003110164.tif 000003
【図４】
0003110164.tif 000004
【図１】
0003110164.tif 000005
【図２】
0003110164.tif 000006